(57)【要約】【解決課題】本発明は、芳香剤や保冷剤等の収納部材の取り替えが簡単に行える上に、収納部材の保持時間が長く、様々な用途に使用することができるクッション構造体を提供する。【解決手段】上部材１３と本体部材１４よりなるクッション構造体であって、前記本体部材１４に収納部材１２を収納する空間部１５が設けられ、前記上部材１３と前記本体部材１４のそれぞれが収まる袋を有するカバー体１１に装入し、前記カバー体１１に装入された上部材１３と空間部１５が設けられた本体部材１４とが開閉自在なクッション構造体１００とした。【選択図】図１
2009291450.tif 000002
【特許請求の範囲】
【請求項１】
上部材と本体部材よりなるクッション構造体であって、前記本体部材に収納部材を収納する空間部が設けられ、前記上部材と前記本体部材のそれぞれが収まる袋を有するカバー体に装入し、前記カバー体に装入された上部材と空間部が設けられた本体部材とが開閉自在となることを特徴とするクッション構造体。
【請求項２】
クッション構造体の本体部材に収納部材を収納する空間部の底に保温用のアルミシートを入れたことを特徴とする請求項１に記載のクッション構造体。
【請求項３】
クッション構造体の本体部材の空間部に収納部材を収納した快眠枕であることを特徴とする請求項１又は請求項２に記載のクッション構造体。
【請求項４】
クッション構造体の本体部材の空間部に収納部材を収納した座布団であることを特徴とする請求項１又は請求項２に記載のクッション構造体。
【請求項５】
クッション構造体の本体部材の空間部に収納部材を収納した座布団が携帯用の座布団であることを特徴とする請求項４に記載のクッション構造体。
【請求項６】
クッション構造体の本体部材の空間部に収納部材を収納した座布団がペット用の座布団であることを特徴とする請求項４に記載のクッション構造体。
【請求項７】
クッション構造体の上部材と収納部材を収納する空間部を有する本体部材よりなるクッション構造体が備長炭を織り込んだカバー体に装入されていることを特徴とする請求項１から請求項６のいずれかに記載のクッション構造体。
【請求項８】
クッション構造体の本体部材の空間部に収納する収納部材が保冷剤であることを特徴とする請求項１から請求項７のいずれかに記載のクッション構造体。
【請求項９】
クッション構造体の本体部材の空間部に収納する収納部材が芳香剤であることを特徴とする請求項１から請求項７のいずれかに記載のクッション構造体。
【発明の詳細な説明】
【技術分野】
【０００１】
上部材と本体部材よりなり、本体部材の中央部に収納部材を収納する空間部を設け、前記上部材と前記空間部を設けた本体部材とをカバー体に装入したクッション構造体に関わる。
【背景技術】
【０００２】
暑い夏の寝苦しい夜は如何にして快適な睡眠を得ることができるか、誰しも悩むところである。また、発熱時には氷嚢や氷を入れたマクラが使用されているが、通常使用するマクラとは形状が異なり充分に休まるものではない。このような問題を解決するために、マクラに冷却体を入れて頭部を冷やすための方法が種々考案されている。
【０００３】
特許文献１に開示されている涼感マクラはドーナツ状のマクラ本体の外周部の数箇所に、冷却体の出し入れ口を設け、その出し入れ口の内部に収納袋を設け、冷却体を納める構成からなる涼感マクラが開示されている。
【０００４】
特許文献２には冷水マクラと冷却ユニットとの間を耐熱蛇腹ホースなどで連結し、冷水マクラと冷却ユニットとの間に冷却水を循環させて、冷水マクラの温度を任意の設定温度に維持できるようにした冷水マクラが開示されている。
【０００５】
特許文献３には、ぬいぐるみへの脱着機能を有した枕カバー並びに額冷却具用カバーが開示されている。この構成は、枕カバー又は額冷却具用カバーにおいて、カバー本体に固定具又は首掛帯を取り付けたものである。カバー本体をぬいぐるみに装着する固定具とぬいぐるみの手又は足に巻き付けて固定するための固定帯とこの固定帯とカバー本体とを連結する連結帯よりなっている。
【０００６】
上記のように涼感を与えるマクラ、あるいは冷水マクラ等考案されているが、従前の保冷マクラはそれぞれ取り扱いやすさ、使い心地に問題がある。一方、ペットを飼育する家庭が増加するにつれて、ペット独特の臭気を消すための芳香剤などが販売されているが、常時、芳香剤を噴霧しているわけにもいかないことから、消臭剤や芳香剤が入ったペット用品の出現が望まれている。
【特許文献１】実開平０５−０１５８７３号公報
【特許文献２】実開平０６−０５５６２０号公報
【特許文献３】特開平１０−３２３２６６号公報
【発明の開示】
【発明が解決しようとする課題】
【０００７】
本発明は、芳香剤や保冷剤等の収納部材の取り替えが簡単に行える上に、収納部材の保持時間が長く、様々な用途に使用することができるクッション構造体を提供するものである。
【課題を解決するための手段】
【０００８】
発熱時には頭部を冷やして患者の苦痛を和らげ、寝苦しい暑い夜には頭部を冷やして安眠に導く保冷剤を収納できる空間部を有するマクラや座布団等のクッション構造体を提供するために鋭意研究した結果、蓋部分となる上部材と空間部を有する本体部材とに分けて、本体部材の空間部に保冷剤や芳香剤等の収納部材を保持できるようにすることによって、上記課題を解決した。
【０００９】
本発明の特徴は、上部材と本体部材よりなるクッション構造体であって、前記本体部材に収納部材を収納する空間部が設けられ、前記上部材と前記本体部材のそれぞれが収まる袋を有するカバー体に装入し、前記カバー体に装入された上部材と空間部が設けられた本体部材とが開閉自在となることを特徴とするクッション構造体である。
【００１０】
上部材と本体部材の二つのクッションを用意し、本体部材に収納部材を収納する空間部を設け、前記上部材と前記本体部材のそれぞれが収納できる袋を有するカバー体に装入して、二つ折りにすると上部材と空間部の設けられた本体部材が開閉自在となり、上部材が本体部材の蓋となる。上部材は空間部に収納された収納部材を保護すると共に、収納部材が直接人体に触れないようにして、収納部材の異物感を和らげる。
【００１１】
本発明の別の特徴は、クッション構造体の本体部材に設けた収納部材を収納する空間部の底に保温用のアルミシートを入れたことを特徴とするクッション構造体である。本体部材に設けた収納部材を収納する空間部の底に保温用のアルミシートを入れることによって、収納部材として保冷剤を入れた場合は、熱を下から逃がすことが無く、長時間持続させることができる。また、収納部材として芳香剤を入れた場合には、下の敷物に芳香が移るのを防止することができる。
【００１２】
本発明の別の特徴は、クッション構造体の本体部材の空間部に収納部材を収納した快眠枕であることを特徴とするクッション構造体である。クッション構造体をマクラの形状として、空間部に収納する収納部材を保冷剤、芳香剤等様々に変えて使用することができる。
【００１３】
本発明の別の特徴は、クッション構造体の本体部材の空間部に収納部材を収納した座布団であることを特徴とするクッション構造体である。クッション構造体を座布団の形状として、空間部に収納する収納部材を様々に変えて使用することができる。
【００１４】
本発明の別の特徴は、クッション構造体の本体部材の空間部に収納部材を収納した座布団が携帯用の座布団であることを特徴とするクッション構造体である。クッション構造体よりなる座布団の形状を小型にして、側面に持ち手を付け、収納部材に保冷剤、発熱材等を入れればスポーツ観戦等の屋外用のマットとして使用することが出来る。
【００１５】
本発明の別の特徴は、クッション構造体の本体部材の空間部に収納部材を収納した座布団がペット用の座布団であることを特徴とするクッション構造体である。収納部材に保冷剤、発熱材、消臭剤、芳香剤など、必要に応じて入れることができるペット用の寝床として使用することもできる。
【００１６】
本発明の別の特徴は、クッション構造体の上部材と収納部材を収納する本体部材よりなるクッション構造体が備長炭を織り込んだ布カバーに装入されていることを特徴とする記載のクッション構造体である。備長炭は、磁場を発生させ体のアルカリ化（マイナスイオン効果）を促進し、疲労回復を助ける働きや、コリをほぐし血液の循環を良くする効果がある他、また、酸化した場所を好むダニ回避効果や湿度を適度に保つ調湿効果などに優れている。このような作用を有する備長炭を繊維に織り込んだ布にクッション構造体を装入することによって、さらに快適な効果が期待できる。
【００１７】
本発明の別の特徴は、クッション構造体の本体部材の空間部に収納する収納部材が保冷剤であることを特徴とするクッション構造体である。クッション構造体の本体部材の空間部に保冷剤を収納して、保冷マクラや保冷座布団とすることができ、夏の寝苦しい夜や、発熱した時に使用することができる快眠マクラ等として使用することができる。
【００１８】
本発明の別の特徴は、クッション構造体の本体部材の空間部に収納する収納部材が芳香剤であることを特徴とするクッション構造体である。収納部材としての芳香剤にヒノキを用いると、ヒノキに含まれている「ヒノキチオール」という成分により、快眠効果を得られると供に、除菌、防腐、消臭作用があり、さらに、ダニや細菌を寄せ付けない効果も期待できる。芳香マクラや芳香座布団として使用することが出来る。
【発明の効果】
【００１９】
クッション部材を上部材と本体部材とに分け、本体部材の中央部分に収納部材を収納できる空間部を設け、これをカバー体に装入して、上部材で空間部を設けた本体部材を覆うようにすることによって、空間部に収納された収納部材の保持時間を長くすることができる。さらに、上部材と本体部材をカバー体に装入して、上部材を開閉自在とすることによって、空間部に収納された収納部材を簡単に交換することができる。
【００２０】
クッション構造体をマクラ形状として空間部に収納する収納部材をヒノキ材を収納することによって、ヒノキが持つ精神安定効果、免疫促進効果、抗菌効果など、寝ている間に様々な効果が期待できる。
【００２１】
クッション構造体をマクラ形状として空間部に収納する収納部材を保冷剤にすることによって、暑い寝苦しい夜に使用すると、頭を適度に冷やして心地よい睡眠が得られ、発熱時には氷嚢や氷枕のような違和感を与えずに頭を冷やすことができる。
【００２２】
クッション構造体に備長炭を織り込んだ布をカバー体に装入することによって、磁場を発生させ、体のアルカリ化（マイナスイオン効果）を促進し、疲労回復を助ける働きや、コリをほぐし血液の循環を良くする効果が期待される。
【００２３】
クッション構造体を座布団形状にすることによって、老人用に冬には携帯カイロ等を入れて冷えを防止することができる。また、芳香剤や保冷剤、携帯カイロなどを入れてペット用の寝床とすることもできる。
【発明を実施するための最良の形態】
【００２４】
本発明のクッション構造体の一例としてのマクラ１００を図１に示す。図１に示すマクラ１００は上部材１３と本体部材１４とからなり、本体部材１４に収納部材１２を収納する空間部１５が設けられ、前記上部材１３が本体部材１４に設けられた空間部１５の蓋となるようになっている。マクラ１００の前方（肩が当接する部分）１０ａは低くなっており、頭を乗せる中央部分から奥１０ｂに掛けて高くなっている。一般にマクラは、肩から頭にかけて１５度の角度を維持できる高さが快眠できる高さであると言われている。本発明においてもこの形状を例示しているが、この形状に限定されるものではない。
【００２５】
空間部１５に収納する収納部材１２としては、ヒノキの板、ヒノキの大鋸屑を袋に詰めたもの、その他、大鋸屑、プラスチック等にアロマテラピー効果のある香料などを染みこませたもの等を収納することができる。また、磁気を発生する磁性体を収納することもできる。さらに、暑いときや発熱時には、市販の様々な大きさの保冷剤を収納することができる。寒い冬には、クッション構造体による座布団２００に市販の携帯カイロ、あるいは、プラスチックや金属製の容器にお湯を入れた湯たんぽ等も収納することもできる。その他、活性炭等の消臭材や芳香剤を収納部材として使用することも出来る。
【００２６】
本発明のマクラの本体部材の空間部に収納部材として収納する保冷剤、ヒノキ材、各種香料を染みこませた芳香剤等の大きさは、使用するマクラや座布団の大きさ、空間部の大きさによって自由に選択することができる。通常、厚さ２．０〜３．０ｃｍ、縦１５．０〜２０．０ｃｍ、横８．０〜３５．０ｃｍ位の大きさのものを１〜２個収納する。
【００２７】
本発明で使用するクッション構造体の材質は肌に触れて硬さを感じさせない適度な弾力性を有する材質であれば良く、例えばウレタン、低反発ウレタン、フェルト、その他同等の効果が発揮される合成ゴム、スポンジ等を使用することができる。
【００２８】
また、前記上部材と前記本体部材のそれぞれが収まる袋状になった部分を有するカバー体１１に装入し、カバー体１１に装入された上部材１３と本体部材１４のカバー体の内側に面ファスナー１６、あるいは両面が合致する位置にファスナー等を着設して、開閉自在とした上部材１３と本体部材１４が開かないようにすることもできる。
【００２９】
図２は、本発明で例示したマクラ１００の頭部に当接する上部材１３の形状を示す斜視図である。上部材１３は空間部１５の設けられた本体部材１４の蓋となって空間部１５に収納された収納部材１２の硬さを頭部に伝えない程度の厚さを有し、前方（肩が当接する部分）１３ａが低くなっており、頭を乗せる前方１３ａから奥１３ｂに掛けて高くなっている。本発明で例示するマクラ１００をすると、肩から頭にかけて快眠できると言われている１５度の角度を維持できる高さとなっており、マクラ全体の形状を維持する重要な部分である。
【００３０】
図３は、本発明で例示するマクラ１００の空間部１５を有する本体部材１４を構成する形状を示す斜視図である。本体部材１４の中程に収納部材１２を収納する空間部１５を設け、その空間部１５の底に収納部材を保持して香りや熱を底から逃がさないないようにアルミシート（図示せず）が貼設されている。この本体部材１４は一枚の部材の中間部分に穴を開けて収納部材１２を収納する空間部１５を設けてもよく、あるいは収納部材１２を収納する空間部１５を設けた中間部材１４ａと底部材１４ｂの２枚の部材を貼り合わせてもよい。収納部材１２を収納する空間部１５の深さ、大きさは、特に限定されるものではなく、使用される収納部材１２の大きさに合わせて穿設してもよい。
【００３１】
また、上部材、本体部材を丸形状として、空間部を丸形状としても良く、さらに、角形状の上部材、本体部材に空間部のみを丸形状にしても良い。上部材、本体部材と本体部材に穿設する空間部の形状は特に限定されるものではない。
【００３２】
上部材１３と本体部材１４のそれぞれが入るように作成された袋状になったカバー１１に図２で作成された上部材１３と図３で作成された本体部材１４を入れて、本体部材１４に蓋をするように上部材１３を重ねることによって出来上がる。カバー体１１の開口部には面ファスナーを貼設して、空間部に収納した収納部材が飛び出さないようにしてもよい。
【００３３】
図４は本発明のクッション構造体で作成した普通サイズのマクラ１００である。図４に示す普通サイズのマクラ１００は、幅２８ｃｍ×長さ４０ｃｍであり、前側（肩側）１０ａの高さは６．５ｃｍから徐々に高くして，奥側（頭頂部側）１０ｂの高さは７．６ｃｍとした。この普通サイズのマクラ１００は子供から大人まで幅広く使用することができる。
【００３４】
本体部材１４の中間部材１４ａには収納部材１２を収納する位置には少し大きい収納部材１２が収納できる空間部１５が設けられている。収納部材１２を収納する空間部１５の底には断熱材としてアルミシート（図示せず）が貼設されている。マクラ１００の本体部材１４は、収納部材１２を収納する空間部１５を穿設した中間部材１４ａとそれを下から支える底部材１４ｂを別々に準備して貼り合わせてもよく、１枚のシートの中央部分に収納部材１２を収納する空間部１５の穴を穿設する方法に限定されるものではなく、本体部材１４を中間部材１４ａと底部材１４ｂとに分けて、後でそれぞれを貼設する方法であってもよい。
【００３５】
図４にはクッション構造体の上部材１３と本体部材１４をカバー体１１に装入したマクラ１００を示す。収納部材１２として、５００ｇパックの保冷剤を１個収納した例を示している。本実施例においては１２時間持続タイプの５００ｇの保冷剤を収納部材１２として使用したが、保冷剤を使用する場合は、それぞれ目的に応じた冷却時間を有する保冷剤を使用することが望ましい。
【００３６】
カバー体１１に使用する布は、頭部に当てても違和感のない柔らかい素材を使用することが望ましく、特に限定されるものではない。例えば、磁場を発生させて体のアルカリ化（マイナスイオン効果）を促進し、疲労回復を助ける働きや、コリをほぐし血液の循環を良くする効果が期待される備長炭の折り込み布をカバー体１１として使用することもできる。
【００３７】
図５は本発明のクッション構造体で作成した大きいサイズのマクラ１００である。図５に示す大きいサイズのマクラ１００は、幅３１ｃｍ×長さ５０ｃｍであり、高さは前側（肩側）７．０ｃｍから徐々に高くして奥側（頭頂部側）９．５ｃｍである。空間部１５には収納部材１２を収納する位置に３５０ｇの保冷パックが２個収納できる空間部が設けられている。
【００３８】
図６は本発明のクッション構造体よりなる座布団２００の斜視図である。座布団２００はマクラと同様に中央に収納部材１２を収納する空間部１５を作成し、上部材１３と本体部材１４をカバー体１１に装入して、面ファスナー１６を着設して上部材１３が開かないようにしている。特に、ペット用の座布団２００として使用する場合は、ペットが収納部材１２を引っ張り出さないように、面ファスナー１６やファスナーを着設することが望ましい。
【００３９】
本発明のクッション構造体よりなる座布団２００のカバー体１１に使用する布は、肌に当たっても違和感のない柔らかい素材を使用することが望ましいが、特に限定されるものではない。例えば、磁場を発生させて体のアルカリ化（マイナスイオン効果）を促進し、疲労回復を助け、血液の循環を良くする効果が期待される備長炭の折り込み布をカバー体１１として使用することもできる。
【００４０】
図７の（７−１）は、本発明のクッション構造体よりなる携帯用の座布団２００の斜視図である。クッション構造体は前記のマクラや座布団と同様に上部材１３と本体部材１４のそれぞれが両側に収まる袋状になった部分を有するカバー体１１に装入し、カバー体１１に装入された上部材１３と本体部材１４のカバー体１１の開口部側に面ファスナー１６、あるいはファスナー等を着設して、側面に持ち手１７を付け、携行に便利なようにやや小型にする。本体部の空間部１５に収納する収納部材１２は、夏は保冷剤を入れ、冬は携帯カイロ等の発熱剤を入れることによって、様々な場所で使用することが出来る。
【００４１】
また、図（７−２）に示すように折り畳んで携行可能な状態にした時に、表側にペットボトルなどが収納できるポケット１９を設けても良い。ペットボトル等を収納するポケット１９を着設した場合は、閉じたときに収容物の重量で開く可能性があるので、側面にファスナー１８等でしっかり留めることが望ましい。また、持ち手１７もポケット１９を着設した場合は、上部材１３側と本体部材１４側の両方に着設すると安定な状態で持つことが出来る。
【図面の簡単な説明】
【００４２】
【図１】本発明のカバー体に装入されたクッション構造体よりなるマクラの斜視図である。
【図２】クッション構造体よりなるマクラの上部材の形状を示す斜視図である。
【図３】収納部材を収納する空間部が穿設された本体部材の斜視図である。
【図４】本発明のカバー体に装入されたクッション構造体よりなる普通サイズのマクラの斜視図である。
【図５】本発明のカバー体に装入されたクッション構造体よりなる大きいサイズのマクラの斜視図である。
【図６】本発明のカバー体に装入されたクッション構造体よりなる座布団の斜視図である。
【図７】本発明のカバー体に装入されたクッション構造体よりなる携帯用の座布団の斜視図である。
【符号の説明】
【００４３】
１００：クッション構造体によるマクラ
２００：クッション構造体による座布団
１０ａ：マクラの肩側
１０ｂ：マクラの頭頂部側
１１：カバー体
１２：収納部材
１３：上部材
１４：本体部材
１４ａ：中間部材
１４ｂ：底部材
１５：空間部
１６：面ファスナー
１７：持ち手
１８：ファスナー
１９：ポケット
【図１】
2009291450.tif 000003
【図２】
2009291450.tif 000004
【図３】
2009291450.tif 000005
【図４】
2009291450.tif 000006
【図５】
2009291450.tif 000007
【図６】
2009291450.tif 000008
【図７】
2009291450.tif 000009